(57)【要約】【課題】ホット飲料とコールド飲料を間違えて選択することがない飲料供給装置を提供する。【解決手段】カップ載置台１１に置かれたカップＣの温度を測定する非接触温度センサ９７と、非接触温度センサ９７が測定しているカップＣの温度が設定温度以上の場合には、飲料選択ボタンをホット飲料選択ボタンとして、飲料選択ボタンが押圧されるとホット飲料を供給し、非接触温度センサ９７が測定しているカップＣの温度が設定温度未満の場合には、飲料選択ボタンをコールド飲料選択ボタンとして、飲料選択ボタンが押圧されるとコールド飲料を供給する制御部９０と、を備えた。【選択図】図５
2014176484.tif 000002
【特許請求の範囲】
【請求項１】
容器載置台に置かれた飲料容器に飲料選択ボタンで選択されたホット飲料またはコールド飲料を供給する飲料供給装置において、
前記容器載置台に置かれた飲料容器の温度を測定する温度センサと、
前記温度センサが測定している飲料容器の温度が設定温度以上の場合には、前記飲料選択ボタンをホット飲料選択ボタンとして、該飲料選択ボタンが押圧されるとホット飲料を供給し、
前記温度センサが測定している飲料容器の温度が設定温度未満の場合には、前記飲料選択ボタンをコールド飲料選択ボタンとして、該飲料選択ボタンが押圧されるとコールド飲料を供給する制御手段と、を備えたことを特徴とする飲料供給装置。
【請求項２】
ホット飲料選択ボタンとコールド飲料選択ボタンを有し、前記ホット飲料選択ボタンが押圧されると容器載置台に置かれた飲料容器にホット飲料を供給し、前記コールド飲料選択ボタンが押圧されると前記容器載置台に置かれた飲料容器にコールド飲料を供給する飲料供給装置において、
前記容器載置台に置かれた飲料容器の温度を測定する温度センサと、
前記温度センサが測定している飲料容器の温度が設定温度以上の場合には、前記コールド飲料選択ボタンを無効にし、
前記温度センサが測定している飲料容器の温度が設定温度未満の場合には、前記ホット飲料選択ボタンを無効にする制御手段と、を備えたことを特徴とする飲料供給装置。
【発明の詳細な説明】
【技術分野】
【０００１】
本発明は、飲食店などに設置され、ホット飲料およびコールド飲料を供給する飲料供給装置に関する。
【背景技術】
【０００２】
飲料供給装置には、ホット飲料（例えば、ホットコーヒー）を選択するためのホット飲料選択ボタンおよびコールド飲料（例えば、アイスコーヒー）を選択するためのコールド飲料選択ボタンが設けられている。そして、ホット飲料選択ボタンが押下されると、飲料ノズルから１杯分のホット飲料がカップに供給され、コールド飲料選択ボタンが押下されると、飲料ノズルから１杯分のコールド飲料がカップに供給されるようになっている（例えば、特許文献１参照）。
【先行技術文献】
【特許文献】
【０００３】
【特許文献１】特開２００７−２２３６５５号公報
【発明の概要】
【発明が解決しようとする課題】
【０００４】
しかしながら、このようにホット飲料とコールド飲料を供給可能としている飲料供給装置では、飲料選択ボタンが小さく、さらに、これらの飲料選択ボタンが隣り合わせに配置されている場合、ホット飲料を選択しようとしてコールド飲料選択ボタンを押下するなど、飲料選択ボタンを間違えて押下してしまうなどの問題を招く虞があった。
【０００５】
本発明は、以上のような課題を解決するためになされたものであり、ホット飲料とコールド飲料を間違えて選択することがない飲料供給装置を提供することを目的とする。
【課題を解決するための手段】
【０００６】
上記の目的を達成するために、本発明の請求項１に係る飲料供給装置は、容器載置台に置かれた飲料容器に飲料選択ボタンで選択されたホット飲料またはコールド飲料を供給する飲料供給装置において、
前記容器載置台に置かれた飲料容器の温度を測定する温度センサと、
前記温度センサが測定している飲料容器の温度が設定温度以上の場合には、前記飲料選択ボタンをホット飲料選択ボタンとして、該飲料選択ボタンが押圧されるとホット飲料を供給し、
前記温度センサが測定している飲料容器の温度が設定温度未満の場合には、前記飲料選択ボタンをコールド飲料選択ボタンとして、該飲料選択ボタンが押圧されるとコールド飲料を供給する制御手段と、を備えたことを特徴とする。
【０００７】
また、本発明の請求項２に係る飲料供給装置は、ホット飲料選択ボタンとコールド飲料選択ボタンを有し、前記ホット飲料選択ボタンが押圧されると容器載置台に置かれた飲料容器にホット飲料を供給し、前記コールド飲料選択ボタンが押圧されると前記容器載置台に置かれた飲料容器にコールド飲料を供給する飲料供給装置において、
前記容器載置台に置かれた飲料容器の温度を測定する温度センサと、
前記温度センサが測定している飲料容器の温度が設定温度以上の場合には、前記コールド飲料選択ボタンを無効にし、
前記温度センサが測定している飲料容器の温度が設定温度未満の場合には、前記ホット飲料選択ボタンを無効にする制御手段と、を備えたことを特徴とする。
【発明の効果】
【０００８】
請求項１の発明によれば、容器載置台に置かれた飲料容器に飲料選択ボタンで選択されたホット飲料またはコールド飲料を供給する飲料供給装置において、容器載置台に置かれた飲料容器の温度を測定する温度センサと、温度センサが測定している飲料容器の温度が設定温度以上の場合には、飲料選択ボタンをホット飲料選択ボタンとして、該飲料選択ボタンが押圧されるとホット飲料を供給し、温度センサが測定している飲料容器の温度が設定温度未満の場合には、飲料選択ボタンをコールド飲料選択ボタンとして、該飲料選択ボタンが押圧されるとコールド飲料を供給する制御手段と、を備えたことにより、ホット飲料を選択しようとしてコールド飲料選択ボタンを押下するなどの飲料選択ボタンを間違えて押下してしまう問題が解消されるので、ホット飲料とコールド飲料を間違えて選択することがない飲料供給装置を提供することが可能となる。
【０００９】
また、請求項２の発明によれば、ホット飲料選択ボタンとコールド飲料選択ボタンを有し、ホット飲料選択ボタンが押圧されると容器載置台に置かれた飲料容器にホット飲料を供給し、コールド飲料選択ボタンが押圧されると容器載置台に置かれた飲料容器にコールド飲料を供給する飲料供給装置において、容器載置台に置かれた飲料容器の温度を測定する温度センサと、温度センサが測定している飲料容器の温度が設定温度以上の場合には、コールド飲料選択ボタンを無効にし、温度センサが測定している飲料容器の温度が設定温度未満の場合には、ホット飲料選択ボタンを無効にする制御手段と、を備えたことにより、ホット飲料を選択しようとしてコールド飲料選択ボタンを押下するなどの飲料選択ボタンを間違えて押下してしまう問題が解消されるので、ホット飲料とコールド飲料を間違えて選択することがない飲料供給装置を提供することが可能となる。
【図面の簡単な説明】
【００１０】
【図１】本発明の実施の形態１である飲料供給装置を示す外観斜視図である。
【図２】図１に示した飲料供給装置の飲料供給部を示す拡大斜視図である。
【図３】図１に示した飲料供給装置の配管系統を示す模式図である。
【図４】図１に示した飲料供給装置の制御構成を示す制御ブロック図である。
【図５】図１に示した飲料供給装置の制御を示すフローチャート図である。
【図６】本発明の実施の形態２である飲料供給装置を示す外観斜視図である。
【図７】図６に示した飲料供給装置の制御構成を示す制御ブロック図である。
【図８】図６に示した飲料供給装置の制御を示すフローチャート図である。
【発明を実施するための形態】
【００１１】
以下、図面を参照しながら、本発明に係る飲料供給装置の好適な実施の形態について詳細に説明する。なお、この実施の形態によりこの発明が限定されるものではない。
（実施の形態１）
図１は、本発明の実施の形態１である飲料供給装置を示す外観斜視図であり、図２は、図１に示した飲料供給装置の飲料供給部を示す拡大斜視図であり、図３は、図１に示した飲料供給装置の配管系統を示す模式図である。
【００１２】
飲料供給装置１はホットコーヒー（ホット飲料）およびアイスコーヒー（コールド飲料）を供給する装置であり、図に示すように、供給装置本体２と操作パネル３とを備えている。供給装置本体２は、前面が開口した箱体であり、その底部には、高さ調整をするための調整脚２１が設けてある。
【００１３】
供給装置本体２には、コーヒー挽き豆（飲料の原料）と湯からレギュラーコーヒーを抽出するコーヒー抽出装置４が設けられている。コーヒー抽出装置４で抽出されたレギュラーコーヒーは、コーヒー弁５ａを介して供給管５ｂでホットコーヒータンク５に供給され、ホットコーヒータンク５に供給されたレギュラーコーヒーはヒーター（不図示）で加熱されてホットコーヒーとして貯留される。また、コーヒー弁７ａを介して供給管７ｂでアイスコーヒータンク７に供給されたレギュラーコーヒーは冷却装置（不図示）で冷却されてアイスコーヒーとして貯留される。
【００１４】
そして、ホットコーヒータンク５に貯留されているホットコーヒーは、ホットコーヒー供給弁６ａが開放されると、供給管６ｂを通流して飲料ノズル６からカップ（飲料容器）Ｃに供給される。また、アイスコーヒータンク７に貯留されているアイスコーヒーは、アイスコーヒー供給弁８ａが開放されると、供給管８ｂを通流して飲料ノズル８からカップＣに供給される。
【００１５】
また、供給装置本体２の前面下端部には、飲料供給部１０が設けられている。飲料供給部１０には、カップＣの置き位置を案内するカップガイド１１ａを有するカップ載置台（容器載置台）１１が設けられ、カップ載置台１１の上方で供給装置本体２側には、カップ載置台１１に置かれたカップＣの温度を測定する非接触温度センサ９７が設けられている。このカップ載置台１１に置かれるカップＣの上部のノズル部１２に飲料ノズル６、８が配設されている。そして、飲料供給部１０を覆うカバー１３が、操作パネル３の一側縁部に開閉可能に支承されている。
【００１６】
操作パネル３は、供給装置本体２の前面開口を覆うための扉で、供給装置本体２の一側縁部に開閉可能に支承されている。操作パネル３の前面には、所望の飲料を選択するときに押圧する飲料選択ボタン３１ａ、３１ｂを備えている。
【００１７】
図４は、飲料供給装置１の制御ブロック図を示し、飲料供給装置１での飲料の供給などを制御する制御部（制御手段）９０は、中央処理装置としてのＣＰＵ９１、ＣＰＵ９１の制御プログラムを格納するＲＯＭ（リード・オンリー・メモリ）９２、ＣＰＵ９１の制御に必要な各種のプログラムやデータを随時記憶するＲＡＭ（ランダム・アクセス・メモリ：非接触温度センサ９７が測定しているカップＣの温度により、飲料選択ボタン３１ａ、３１ｂをホット飲料選択ボタンとするか、コールド飲料選択ボタンとするかを決定する設定温度を記憶する）９３、基準クロック発生部（図示せず）で発生するクロックをカウントして各種時刻を計時するタイマー９４、飲料供給装置１に備えられている各機器に通電する電力回路を有する通電部９５から構成されている。
【００１８】
また、制御部９０には、飲料供給装置１の各種設定データ（例えば、飲料選択ボタン３１ａ、３１ｂをホット飲料選択ボタンとするか、コールド飲料選択ボタンとするかを決定する設定温度）を入力するリモコン９６、カップ載置台１１に置かれたカップＣの温度を測定する非接触温度センサ９７、所望の飲料を選択するための飲料選択ボタン３１ａ、３１ｂなどが接続されている。
【００１９】
さらに、制御部９０は、コーヒー抽出装置４、ホットコーヒータンク５、コーヒー弁５ａ、ホットコーヒー供給弁６ａ、アイスコーヒータンク７、コーヒー弁７ａ、アイスコーヒー供給弁８ａなどへの通電制御を行う。
【００２０】
次に、非接触温度センサ９７が測定しているカップ載置台１１に置かれたカップＣの温度による制御部９０の制御の手順を図５のフローチャート図を用いて説明する。先ず、カップ載置台１１に置かれたカップＣの温度が設定温度（例えば、１０℃）以上かを確認する（ステップＳ１１）。カップＣがカップ載置台１１に置かれ、非接触温度センサ９７が設定温度以上の温度（例えば、１５℃）を測定し、制御部９０が設定温度以上の温度と確認した場合（ステップＳ１１：Ｙｅｓ）、飲料選択ボタン３１ａ、３１ｂをホット飲料選択ボタンに設定してボタン表示色を赤色に点灯し、この赤色に点灯しているホット飲料選択ボタンが押圧されると、ホットコーヒー供給弁６ａを開放してホットコーヒータンク５に貯留されているホットコーヒーを供給管６ｂを通流させて飲料ノズル６からカップＣに供給する。
【００２１】
また、氷入りの冷えているカップＣがカップ載置台１１に置かれ、非接触温度センサ９７が設定温度未満の温度（例えば、５℃）を測定し、制御部９０が設定温度未満の温度と確認した場合（ステップＳ１１：Ｎｏ）、飲料選択ボタン３１ａ、３１ｂをコールド飲料選択ボタンに設定してボタン表示色を青色に点灯し、この青色に点灯しているコールド飲料選択ボタンが押圧されると、アイスコーヒー供給弁８ａを開放してアイスコーヒータンク７に貯留されているアイスコーヒーを供給管８ｂを通流させて飲料ノズル８からカップＣに供給する。
【００２２】
このように、カップ載置台１１に置かれたカップＣに飲料選択ボタンで選択されたホット飲料またはコールド飲料を供給する飲料供給装置１において、カップ載置台１１に置かれたカップＣの温度を測定する非接触温度センサ９７と、非接触温度センサ９７が測定しているカップＣの温度が設定温度以上の場合には、飲料選択ボタン３１ａ、３１ｂをホット飲料選択ボタンとして、飲料選択ボタン３１ａ、３１ｂが押圧されるとホット飲料を供給し、非接触温度センサ９７が測定しているカップＣの温度が設定温度未満の場合には、飲料選択ボタン３１ａ、３１ｂをコールド飲料選択ボタンとして、飲料選択ボタン３１ａ、３１ｂが押圧されるとコールド飲料を供給する制御部９０と、を備えたことにより、ホット飲料を選択しようとしてコールド飲料選択ボタンを押下するなどの飲料選択ボタンを間違えて押下してしまう問題が解消されるので、ホット飲料とコールド飲料を間違えて選択することがない飲料供給装置１を提供することができる。
（実施の形態２）
図６は、本発明の実施の形態２である飲料供給装置を示す外観斜視図であり、図７は、図６に示した飲料供給装置の制御構成を示す制御ブロック図であり、図８は、図６に示した飲料供給装置の制御を示すフローチャート図である。
【００２３】
実施の形態２の飲料供給装置１では、ホット飲料選択ボタン３２ａ、３２ｂとコールド飲料選択ボタン３３ａ、３３ｂを備えている。
【００２４】
次に、非接触温度センサ９７が測定しているカップ載置台１１に置かれたカップＣの温度による制御部９０の制御の手順を図８のフローチャート図を用いて説明する。先ず、カップ載置台１１に置かれたカップＣの温度が設定温度（例えば、１０℃）以上かを確認する（ステップＳ２１）。カップＣがカップ載置台１１に置かれ、非接触温度センサ９７が設定温度以上の温度（例えば、１５℃）を測定し、制御部９０が設定温度以上の温度と確認した場合（ステップＳ２１：Ｙｅｓ）、コールド飲料選択ボタン３３ａ、３３ｂの押圧受付を無効にし、ホット飲料選択ボタン３２ａ、３２ｂのボタン表示色を赤色に点灯して押圧受付を有効にする（ステップＳ２２）。そして、この赤色に点灯しているホット飲料選択ボタン３２ａ、３２ｂが押圧されると（ステップＳ２３：Ｙｅｓ）、ホットコーヒー供給弁６ａを開放してホットコーヒータンク５に貯留されているホットコーヒーを供給管６ｂを通流させて飲料ノズル６からカップＣに供給する（ステップＳ２４）。
【００２５】
また、氷入りの冷えているカップＣがカップ載置台１１に置かれ、非接触温度センサ９７が設定温度未満の温度（例えば、５℃）を測定し、制御部９０が設定温度未満の温度と確認した場合（ステップＳ２１：Ｎｏ）、ホット飲料選択ボタン３２ａ、３２ｂの押圧受付を無効にし、コールド飲料選択ボタン３３ａ、３３ｂのボタン表示色を青色に点灯して押圧受付を有効にする（ステップＳ２５）。そして、この青色に点灯しているコールド飲料選択ボタン３３ａ、３３ｂが押圧されると（ステップＳ２６：Ｙｅｓ）、アイスコーヒー供給弁８ａを開放してアイスコーヒータンク７に貯留されているアイスコーヒーを供給管８ｂを通流させて飲料ノズル８からカップＣに供給する（ステップＳ２７）。
【００２６】
このように、ホット飲料選択ボタン３２ａ、３２ｂとコールド飲料選択ボタン３３ａ、３３ｂを有し、ホット飲料選択ボタン３２ａ、３２ｂが押圧されるとカップ載置台１１に置かれたカップＣにホット飲料を供給し、コールド飲料選択ボタン３３ａ、３３ｂが押圧されるとカップ載置台１１に置かれたカップＣにコールド飲料を供給する飲料供給装置１において、カップ載置台１１に置かれたカップＣの温度を測定する非接触温度センサ９７と、非接触温度センサ９７が測定しているカップＣの温度が設定温度以上の場合には、コールド飲料選択ボタン３３ａ、３３ｂを無効にし、非接触温度センサ９７が測定しているカップＣの温度が設定温度未満の場合には、ホット飲料選択ボタン３２ａ、３２ｂを無効にする制御部９０と、を備えたことにより、ホット飲料を選択しようとしてコールド飲料選択ボタン３３ａ、３３ｂを押下するなどの飲料選択ボタンを間違えて押下してしまう問題が解消されるので、ホット飲料とコールド飲料を間違えて選択することがない飲料供給装置１を提供することができる。
【００２７】
なお、コーヒー抽出装置４で抽出され、ホットコーヒータンク５に貯留されているホットコーヒー、アイスコーヒータンク７に貯留されているアイスコーヒーを供給する実施の形態を用いて説明しているが、茶系飲料、またはシロップ飲料など、各種の飲料を供給するようにしてもよく、この実施の形態によりこの発明が限定されるものではない。
【符号の説明】
【００２８】
１      飲料供給装置
２      供給装置本体
３      操作パネル
４      コーヒー抽出装置
５      ホットコーヒータンク
５ａ      コーヒー弁
６      飲料ノズル
６ａ      ホットコーヒー供給弁
７      アイスコーヒータンク
７ａ      コーヒー弁
８      飲料ノズル
８ａ      アイスコーヒー供給弁
１０      飲料供給部
１１      カップ載置台（容器載置台）
３１ａ、３１ｂ      飲料選択ボタン
３２ａ、３２ｂ      ホット飲料選択ボタン
３３ａ、３３ｂ      コールド飲料選択ボタン
９０      制御部（制御手段）
９７      非接触温度センサ（温度センサ）
Ｃ      カップ（飲料容器）
【図１】
2014176484.tif 000003
【図２】
2014176484.tif 000004
【図３】
2014176484.tif 000005
【図４】
2014176484.tif 000006
【図５】
2014176484.tif 000007
【図６】
2014176484.tif 000008
【図７】
2014176484.tif 000009
【図８】
2014176484.tif 000010